(57)【要約】【課題】移動通信端末の位置登録情報を利用した場合に、ユーザの移動傾向を予測した人口解析結果を簡易に得ることを目的とする。【解決手段】この位置登録集計装置は、複数の移動通信端末２による位置登録の発生件数を、位置登録の発生時間帯に関連付けて格納する位置登録情報蓄積部１１２と、位置登録情報蓄積部１１２に格納された発生件数に対して、発生件数に対応する発生時間帯を基準にした前後の時間における確率分布値を掛け合わせることにより、該発生時間帯に発生した位置登録に対応する人数分布を推計する人数分布推計部１２３と、発生時間帯ごとに推計された人数分布を加算することにより、所定の時間帯における全体の位置登録に対応する推計人数を算出する人数分布加算部１２５とを備えることを特徴とする。【選択図】図１
2012029227.tif 000002
【特許請求の範囲】
【請求項１】
複数の移動通信端末による位置登録の発生件数を、前記位置登録の発生時間帯に関連付けて格納する位置登録情報格納手段と、
前記位置登録情報格納手段に格納された前記発生件数に対して、前記発生件数に対応する前記発生時間帯を基準にした前後の時間における確率分布値を掛け合わせることにより、該発生時間帯に発生した前記位置登録に対応する人数分布を推計する人数分布推計手段と、
前記発生時間帯ごとに推計された前記人数分布を加算することにより、所定の時間帯における全体の前記位置登録に対応する推計人数を算出する人数分布加算手段と、
を備えることを特徴とする位置登録集計装置。
【請求項２】
前記確率分布値が設定される時間幅は、前記位置登録の周期に対応するように設定されている、
ことを特徴とする請求項１記載の位置登録集計装置。
【請求項３】
前記確率分布値は、前記発生時間帯を基準にして対称に分布するように設定されている、
ことを特徴とする請求項１又は２記載の位置登録集計装置。
【請求項４】
前記確率分布値の時間分布は、前記発生時間帯を基準にした前後の時間における前記位置登録の周期に対応して変更されるように構成されている、
ことを特徴とする請求項１〜３のいずれか１項記載の位置登録集計装置。
【請求項５】
前記確率分布値は、前記位置登録の発生に関して１台〜Ｎ台（Ｎは２以上の整数）の前記移動通信端末の位置登録エリアに存在する確率分布が、前記位置登録の発生時間帯を基準とした時間軸上で足し合わされることにより設定されている、
ことを特徴とする請求項１〜４のいずれか１項記載の位置登録集計装置。
【請求項６】
位置登録集計装置が、複数の移動通信端末による位置登録の発生件数を、前記位置登録の発生時間帯に関連付けて格納する位置登録情報格納ステップと、
前記位置登録集計装置が、前記位置登録情報格納ステップによって格納された前記発生件数に対して、前記発生件数に対応する前記発生時間帯を基準にした前後の時間における確率分布値を掛け合わせることにより、該発生時間帯に発生した前記位置登録に対応する人数分布を推計する人数分布推計ステップと、
前記位置登録集計装置が、前記発生時間帯ごとに推計された前記人数分布を加算することにより、所定の時間帯における全体の前記位置登録に対応する推計人数を算出する人数分布加算ステップと、
を備えることを特徴とする位置登録集計方法。
【発明の詳細な説明】
【技術分野】
【０００１】
本発明は、位置登録集計装置及び位置登録集計方法に関するものである。
【背景技術】
【０００２】
従来から、携帯端末の位置情報を取得して、その位置情報をもとに携帯端末のユーザの人口分布を解析する装置が知られている（下記特許文献１，２参照）。このように携帯端末の位置情報を用いることで、国勢調査等により得られた人口統計データに比べて、ユーザの移動傾向も反映した人口分布を得ることができる。
【０００３】
例えば、特許文献１に記載の装置は、携帯端末のそれぞれに関する位置情報を格納するデータベースを利用して、地図メッシュ毎のユーザ数を解析している。また、特許文献２に記載の装置は、携帯端末の位置登録情報数を各エリアごとにカウントし、そのカウント数を観測周期で蓄積した統計データを基に、人口分布に関する短期未来予測値を算出することを開示している。
【先行技術文献】
【特許文献】
【０００４】
【特許文献１】特開２００３−３０３７３号公報
【特許文献２】特開２００２−３４２５５７号公報
【発明の概要】
【発明が解決しようとする課題】
【０００５】
しかしながら、所定の周期で定期的に発生する移動通信端末の位置登録情報を利用してユーザ数の分布を集計する場合には、上記特許文献１に記載の解析方法では、短時間でのユーザの移動傾向をも反映した人口解析結果を得ることは困難である。これは、移動通信端末の位置登録を反映した位置情報データベースを利用しているために、１回の位置登録信号が受信されるとその位置登録時刻を含む位置登録周期の時間帯には１人のユーザが存在すると想定しているためである。また、上記特許文献２に記載の算出方法では、線形多重回帰モデルを利用したフィードバック処理が必要とされているため、演算処理が複雑になり、処理負荷が高くなる傾向にある。
【０００６】
そこで、本発明は、かかる課題に鑑みて為されたものであり、移動通信端末の位置登録情報を利用した場合に、ユーザの移動傾向を予測した人口解析結果を簡易に得ることが可能な位置登録集計装置及び位置登録集計方法を提供することを目的とする。
【課題を解決するための手段】
【０００７】
上記課題を解決するため、本発明の位置登録集計装置は、複数の移動通信端末による位置登録の発生件数を、位置登録の発生時間帯に関連付けて格納する位置登録情報格納手段と、位置登録情報格納手段に格納された発生件数に対して、発生件数に対応する発生時間帯を基準にした前後の時間における確率分布値を掛け合わせることにより、該発生時間帯に発生した位置登録に対応する人数分布を推計する人数分布推計手段と、発生時間帯ごとに推計された人数分布を加算することにより、所定の時間帯における全体の位置登録に対応する推計人数を算出する人数分布加算手段と、を備えることを特徴とする。
【０００８】
或いは、本発明の位置登録集計方法は、位置登録集計装置が、複数の移動通信端末による位置登録の発生件数を、位置登録の発生時間帯に関連付けて格納する位置登録情報格納ステップと、位置登録集計装置が、位置登録情報格納ステップによって格納された発生件数に対して、発生件数に対応する発生時間帯を基準にした前後の時間における確率分布値を掛け合わせることにより、該発生時間帯に発生した位置登録に対応する人数分布を推計する人数分布推計ステップと、位置登録集計装置が、発生時間帯ごとに推計された人数分布を加算することにより、所定の時間帯における全体の位置登録に対応する推計人数を算出する人数分布加算ステップと、を備えることを特徴とする。
【０００９】
このような位置登録集計装置及び位置登録集計方法によれば、位置登録の発生件数が発生時間帯に関連付けて格納され、その発生件数に対して発生時間帯を基準にして前後の時間にわたって分布する確率分布値が掛け合わされることによりユーザ数が推計され、各発生時間帯に対応して推計されたユーザ数が加算されることにより、全体の位置登録に対応する推計人数の時間分布が算出される。これにより、位置登録の周期よりも短い時間でのユーザの移動が発生した場合であっても、その移動傾向を反映したユーザ数の時間変化を得ることができる。さらに、各発生時間帯に対応するユーザ数を加算するだけの処理で済むので、処理負荷を低減することができる。
【００１０】
確率分布値が設定される時間幅は、位置登録の周期に対応するように設定されている、ことが好ましい。こうすれば、位置登録の周期に対応して人口分布を適切に予測することができ、高精度の人口推計を実現することができる。
【００１１】
また、確率分布値は、発生時間帯を基準にして対称に分布するように設定されている、ことも好ましい。かかる構成を採れば、位置登録の発生時刻の前後の人口分布を簡易かつ適切に予測することができる。
【００１２】
また、確率分布値の時間分布は、発生時間帯を基準にした前後の時間における位置登録の周期に対応して変更されるように構成されている、ことも好ましい。この場合、位置登録の周期が様々変化する際にそれに対応して人口分布を適切に予測することができ、高精度の人口推計を実現することができる。
【００１３】
さらに、確率分布値は、位置登録の発生に関して１台〜Ｎ台（Ｎは２以上の整数）の移動通信端末の位置登録エリアに存在する確率分布が、位置登録の発生時間帯を基準とした時間軸上で足し合わされることにより設定されている、ことも好ましい。この場合、例えば移動通信端末ごとの位置登録が時間軸上で一様に分布しているようなときに、一つの位置登録に対する移動通信端末の存在確率を忠実に設定することができる結果、時間軸上の人口分布をより適切に予測することができる。
【発明の効果】
【００１４】
本発明によれば、様々な誤差を生じる測位方式を用いた場合であっても、誤差の少ない高精度の人口分布を算出することができる。
【図面の簡単な説明】
【００１５】
【図１】本発明の好適な一実施形態にかかる位置登録集計システムの概略構成図である。
【図２】図１の位置登録蓄積装置で受信される位置登録情報のデータ構成を示す図である。
【図３】図１の位置登録情報蓄積部に記憶された集計データの構成を示す図である。
【図４】図１の確率密度分布格納部に記憶されている確率分布値データの構成を示す図である。
【図５】図４の確率分布値データの設定手順を示す概念図である。
【図６】図４の確率分布値データの設定手順を示す概念図である。
【図７】図４の確率分布値データを設定するための設定アルゴリズムを示す図である。
【図８】図１の統計情報格納部に格納された推計人数の時間分布データの構成を示す図である。
【図９】図１の位置登録集計システムによる位置登録集計の動作を示すシーケンス図である。
【図１０】図１の位置登録集計装置による推計人数算出の動作を示すフローチャートである。
【図１１】図１の情報表示装置４における推計人数の出力結果を示す図である。
【図１２】本発明の変形例において使用される確率分布値データを示すグラフである。
【発明を実施するための形態】
【００１６】
以下、図面とともに本発明による位置登録集計装置及び位置登録集計方法の好適な実施形態について詳細に説明する。なお、図面の説明においては同一要素には同一符号を付し、重複する説明を省略する。
【００１７】
図１は、本発明の好適な一実施形態にかかる位置登録集計システム１の概略構成図である。図１に示すように、本実施形態にかかる位置登録集計システム１は、複数の移動通信端末２、無線基地局３、情報表示装置４、位置登録蓄積装置１１、及び位置登録処理装置１２を備えている。この位置登録蓄積装置１１と位置登録処理装置１２とが、複数の移動通信端末２に関する位置登録情報を集計して所定エリアおよび所定期間での推計人口を計算する位置登録集計装置として機能する。
【００１８】
それぞれの移動通信端末２は、携帯電話機、ＰＨＳ（Personal Handyphone System）、ＰＤＡ（Personal Digital Assistant）等の通信機能を有する携帯端末であり、無線基地局３と移動体通信方式によって接続されることにより、無線基地局３及び移動体通信網ＮＷを介して他の移動通信端末２や移動体通信網ＮＷに接続された通信装置との間で相互にデータ通信及び音声通信を可能にされている。位置登録蓄積装置１１及び位置登録処理装置１２は、移動体通信網ＮＷに接続されてデータ通信が可能なように構成されたサーバ装置である。また、情報表示装置４は、移動体通信網ＮＷに接続され、位置登録処理装置１２との間でデータ通信が可能なように構成された携帯端末、コンピュータ端末等の端末装置である。なお、位置登録蓄積装置１１及び位置登録処理装置１２は、それぞれ１台のサーバ装置で構成されているが、分散された複数のサーバ装置によって構成されてもよいし、逆に、複数のサーバ装置の機能が、１台のサーバ装置に集約されていてもよい。
【００１９】
上記移動通信端末２は、移動体通信網ＮＷに対して位置登録を行うために、所定の周期（例えば、５４分周期で）で無線基地局３に対して位置登録信号を送信する機能を有している。移動通信端末２によって送信された位置登録信号は、無線基地局３及び移動体通信網ＮＷを経由して位置登録情報に変換され、変換された位置登録情報は位置登録蓄積装置１１に向けて送信される。図２には、位置登録蓄積装置１１で受信される位置登録情報のデータ構成を示している。同図に示すように、位置登録情報は、位置登録信号を送信した移動通信端末２のユーザを識別するための情報“ユーザID：A”と、位置登録対象のエリアを位置登録信号の受信位置によって識別する情報“セクタID：XXXXXX”と、位置登録の際の時刻を示す情報“位置登録時刻：YYYY/MM/DD00:01:25”とを含んで構成される。
【００２０】
次に、図１に戻って、位置登録蓄積装置１１及び位置登録処理装置１２の構成要素について詳細に説明する。
【００２１】
位置登録蓄積装置１１は、機能的な構成要素として、位置登録受信部１１１と位置登録情報蓄積部（位置登録情報格納手段）１１２とを備えている。位置登録受信部１１１は、複数の移動通信端末２によって位置登録が要求されるつど位置登録情報を受信し、その位置登録情報を基に位置登録信号数を集計した後に、集計結果を位置登録情報蓄積部１１２に格納する。具体的には、位置登録受信部１１１は、位置登録情報を基に、位置登録の対象エリア及び位置登録の発生時間帯毎に位置登録信号数をカウントアップする。この位置登録の発生時間帯の時間幅は、位置登録を集計する単位の時間であり、例えば、その長さは３分に設定される。そして、位置登録受信部１１１は、その結果得られた位置登録信号数を、位置登録対象エリア及び位置登録発生時間帯に関連付けて、位置登録情報蓄積部１１２に記憶させる。図３には、このようにして記憶された集計データの構成が示されている。同図に示すように、位置登録情報蓄積部１１２には、位置登録対象エリアを示す“セクタID：XXXXXX”及び位置登録発生時間帯“YYYY/MM/DD00:00”と、集計された位置登録信号数“10”とが関連付けて記憶される。ここで、位置登録発生時間帯“YYYY/MM/DD 00:00”は、始期“YYYY/MM/DD 00:00”から始まる所定の時間幅（例えば、“3分”）を有する時間帯を表している。この時間幅は位置登録の周期に対して十分に小さい時間に、好ましくは、周期の約１／N倍（Ｎは正の整数）となるように設定される。そして、位置登録信号数は、この時間幅を有する時間帯において発生した位置登録の数を集計することによって得られる。
【００２２】
なお、位置登録蓄積装置１１の位置登録情報の受信タイミングは、移動通信端末２による位置登録の要求のタイミングには限定されない。例えば、移動体通信網ＮＷ内の他の情報記憶装置が、所定の情報量をバッファリングしてから定期的或いは随時に位置登録蓄積装置１１に転送してもよい。
【００２３】
位置登録処理装置１２は、機能的な構成要素として、要求情報受信部１２１、位置登録情報取得部１２２、人数分布推計部（人数分布推計手段）１２３、人数分布加算部（人数分布加算手段）１２５、情報送信部１２７、確率密度分布格納部１２４、及び統計情報格納部１２６を備える。
【００２４】
要求情報受信部１２１は、所定期間の所定エリアにおける移動通信端末２のユーザに関する推計人数の計算を要求する要求情報を、情報表示装置４から受信し、この要求情報に応じて位置登録情報取得部１２２による位置登録情報の集計データの抽出処理を起動する。ここで、要求情報受信部１２１の受信する要求情報には、推計人数の計算対象の期間を指定するための“対象期間情報”や、推計人数の計算対象のエリアを“セクタID”によって指定するための“対象エリア情報”が含まれている。
【００２５】
位置登録情報取得部１２２は、要求情報受信部１２１からの起動信号に応じて、位置登録蓄積装置１１の位置登録情報蓄積部１１２から集計データを読み出す。そして、位置登録情報取得部１２２は、読み出された全ての集計データの中から、情報表示装置４からの要求情報に含まれる対象期間情報及びセクタIDに対応する集計データを抽出し人数分布推計部１２３に出力する。例えば、処理対象の集計データの抽出条件を示す対象期間情報及び対象エリア情報が“3/1 1:00-3:00”及び“XXXXXX”の場合には、図３に示す集計データのなかから、位置登録発生時間帯が対象期間及びその前後の期間Xに含まれ、かつセクタIDが対象エリア情報に一致するデータを全て抽出する。この期間Xは、対象期間に対象エリアに存在する移動通信端末２から位置登録信号を受信する可能性がある最大の時間幅（例えば、“１０５分”）が設定される。
【００２６】
人数分布推計部１２３は、位置登録情報取得部１２２から出力された全ての集計データを基に、それぞれの位置登録発生時間帯に発生した位置登録に対応する時間軸上の人数分布を推計する。詳細には、人数分布推計部１２３は、それぞれの集計データに含まれる位置登録信号数に対して、その位置登録信号数に対応する位置登録発生時間帯を基準にした前後の時間における確率分布値を掛け合わせることにより、時間軸上の人数分布を計算する。このとき、人数分布推計部１２３は、位置登録発生時間帯を基準にした前後の時間における確率分布値を、確率密度分布格納部１２４から読み出す。
【００２７】
図４には、確率密度分布格納部１２４に記憶されている確率分布値データの構成を示している。この確率分布値データには、位置登録発生時間帯とのずれを示す差分時間情報と、その差分時間情報の示す時間帯における確率密度値との組み合わせが、複数設定されている。例えば、位置登録発生時間帯“YYYY/MM/DD 00:03〜00:06”の位置登録集計データを計算対象とした場合には、差分時間情報“−３”及び確率密度値“０．１６９”の組み合わせは、位置登録発生時間帯とのずれが“−３分”である時間帯“YYYY/MM/DD 00:00〜00:03”の確率密度値が“０．１６９”であることを意味している。ここで、確率分布値データは、位置登録発生時間帯を基準として、位置登録周期に対応する時間幅の範囲で設定されている。すなわち、位置登録発生時間からのずれが位置登録周期の５４分未満となるように、位置登録発生時間帯と同じ時間幅の３分間隔で“０”分〜“±５１”分の範囲に差分時間が設定されている。また、確率分布値データは、位置登録発生時間帯を示す差分時間“０”を基準にして対称となるような設定値を有しており、例えば、差分時間“−Ｎ”と差分時間“＋Ｎ”の確率密度値（Ｎ＝３，６，９，…，５１）は同じ値に設定されている。
【００２８】
このような確率分布値データは、各移動通信端末２が送信する位置登録が時間軸に対して一様分布していることを前提に設定されている。言い換えれば、いずれの移動通信端末２も所定の周期（例えば、５４分周期）で位置登録信号を無線基地局３に対して送信するものとしている。このような前提においては、図５に示すように、位置登録発生時間帯Ｐ０において一回の位置登録が受信された場合において、１台の移動通信端末２が位置登録信号に含まれるセルIDで識別される位置登録エリアに存在する時間軸上の確率分布は、確率分布ｆ１（ｔ）のように想定できる。同図では、位置登録周期が５４分、位置登録の集計単位時間が３分としている。これは、１台の移動通信端末２が位置登録エリアに存在していた位置登録周期の５４分の間に位置登録信号を送信したものと考えられることを根拠にしている。従って、確率分布ｆ１（ｔ）は、位置登録の発生時間帯Ｐ０を含む前後の位置登録周期の５４分以内の時間帯Ｐ−５１〜Ｐ＋５１において、発生時間帯Ｐ０をピークにして単調に減少するような分布と想定される。ここで、時間帯Ｐ±５１の添え字±５１は、時間帯Ｐ０からのずれが±５１分である時間帯を示している。同様に、同図に示すように、位置登録発生時間帯Ｐ０において一回の位置登録が受信された場合において、２台の移動通信端末２が位置登録エリアに存在する時間軸上の確率分布は、確率分布ｆ２（ｔ）のように想定できる。これは、２台の移動通信端末２のいずれかが位置登録エリアに存在していた位置登録周期の半分の２７分の間に位置登録信号を送信したものと考えられることを根拠にしている。従って、確率分布ｆ２（ｔ）は、位置登録の発生時間帯Ｐ０を含む前後の２７分以内の時間帯Ｐ−２４〜Ｐ＋２４において、発生時間帯Ｐ０をピークにして単調に減少するような分布と想定される。以下、同様に、確率分布ｆ３（ｔ），…，ｆ１８（ｔ）が設定され、確率分布ｆ１（ｔ），…，ｆ１８（ｔ）のそれぞれの積分値は同一値とされる。
【００２９】
上記の想定のもとで、確率分布値データは、図６に示すように、一回の位置登録に対する各ユーザ数に対応する複数の確率分布を足し合わせることにより予め設定されている。具体的には、位置登録周期が５４分、位置登録の集計単位時間が３分の場合には、一回の位置登録あたりの１人から１８人までのユーザの確率分布ｆ１（ｔ），…確率分布ｆ１８（ｔ）が足し合わされて全体の確率分布ｆT（ｔ）が設定されている。この確率分布ｆＴ（ｔ）は、位置登録信号の集計単位時間帯（位置登録発生時間帯）にユーザが該当セクタにずっと存在していたものと仮定した場合に、１回の位置登録が発生したことによって推定される最大人数は５４÷３＝１８人であり、最少人数が１人であることを根拠に設定されている。さらに、一回の位置登録に対応するユーザ数に関する全体の確率分布ｆT（ｔ）は、１人〜１８人のユーザの移動通信端末２が一回の位置登録を要求する場合の確率分布ｆ１（ｔ），…確率分布ｆ１８（ｔ）を足し合わせた値に所定の係数が掛け合わされて設定される。
【００３０】
図７には、確率密度分布格納部１２４に記憶される確率分布ｆＴ（ｔ）を設定するための設定アルゴリズムの一例を示している。同図に示す“定期位置登録間隔”は、位置登録周期を示しており、“位置登録信号収集間隔”は、位置登録の集計単位時間を示しており、“定期位置登録収集時刻”は、位置登録発生時間帯Ｐ０を示しており、“処理時刻”は、位置登録発生時間帯Ｐ０との差分時間を示している。このようなアルゴリズムによれば、位置登録周期が５４分、位置登録の集計の単位時間が３分の場合に、確率分布ｆT（ｔ）として、１人〜１８人のユーザの存在に関する確率分布ｆ１（ｔ），…確率分布ｆ１８（ｔ）が足し合わせた値に補正値が反映されたデータが設定される。従って、移動通信端末２ごとの位置登録が時間軸上で一様に分布しているようなときに、一つの位置登録に対する移動通信端末２の時間軸上の存在確率を忠実に設定することができる
【００３１】
このような確率分布値データを参照しながら、人数分布推計部１２３は、集計データに含まれる様々な位置登録発生時間帯に対応する位置登録信号数を基に、複数の時間軸上の人数分布を計算する。さらに、人数分布推計部１２３は、算出した人数分布を人数分布加算部１２５に出力する。
【００３２】
人数分布加算部１２５は、人数分布推計部１２３から出力された複数の人数分布を時間軸上で加算することにより、対象期間における全体の位置登録に対応する移動通信端末２のユーザに関する推計人数の時間分布を算出する。また、人数分布加算部１２５は、算出した推計人数の時間分布を統計情報格納部１２６に格納する。図８には、統計情報格納部１２６に格納された推計人数の時間分布データの構成を示している。同図に示すように、統計情報格納部１２６には、推計対象のエリアを示す“セクタID：XXXXXX”と、推計対象の時間帯を示す“集計対象時間帯：YYYY/MM/DD00:00”と、推計人数“２０”とが、互いに対応付けて格納される。
【００３３】
情報送信部１２７は、人数分布加算部１２５による推計人数の加算処理が完了したタイミングで、その推計人数の時間分布データを、統計情報格納部１２６から読み出し情報表示装置４に送信する。
【００３４】
ここで、図３に示す位置登録の集計データ及び図４に示す確率分布値データを対象にして、対象期間のうちの“YYYY/MM/DD 00:03〜00:06”の時間帯における人数分布を集計する計算手順について例示する。まず、人数分布推計部１２３が、位置登録発生時間帯“YYYY/MM/DD 00:00〜00:03”における集計データに関する人数分布を、その位置登録発生時間帯を含む前後の時間に対して、次のように計算する。
対象期間時間帯“00:00〜00:03”，人数分布値“10”×“0.411”＝“4.11”
対象期間時間帯“00:03〜00:06”，人数分布値“10”×“0.169”＝“1.69”
対象期間時間帯“00:06〜00:09”，人数分布値“10”×“0.048”＝“0.48”
また、位置登録発生時間帯“YYYY/MM/DD 00:03〜00:06”における集計データに関する人数分布を、次のように計算する。
対象期間時間帯“00:00〜00:03”，人数分布値“20”×“0.169”＝“3.38”
対象期間時間帯“00:03〜00:06”，人数分布値“20”×“0.411”＝“8.22”
対象期間時間帯“00:06〜00:09”，人数分布値“20”×“0.169”＝“3.38”
同様にして、位置登録発生時間帯“YYYY/MM/DD 00:06〜00:09”における集計データに関する人数分布を、次のように計算する。
対象期間時間帯“00:00〜00:03”，人数分布値“30”×“0.048”＝“1.44”
対象期間時間帯“00:03〜00:06”，人数分布値“30”×“0.169”＝“5.07”
対象期間時間帯“00:06〜00:09”，人数分布値“30”×“0.411”＝“12.33”
【００３５】
このような各集計データの人数分布の計算結果を対象にして、人数分布加算部１２５が、対象期間における全体の位置登録に対応する推計人数を算出する。例えば、対象期間に含まれる時間帯“YYYY/MM/DD 00:03〜00:06”に関しては、図３に示す位置登録集計データに対して算出された人数分布値“1.69”，“8.22”，“5.07”が加算される。そして、加算値に所定の係数（例えば、１／１８）を掛けることで最終的な推計人数が求められる。このような推計人数の算出が、対象期間に含まれる全ての時間帯に関して繰り返される。
【００３６】
以下、図９及び図１０を参照して、位置登録集計システム１の動作について説明するとともに、併せて位置登録集計装置における位置登録集計方法について詳述する。図９は、位置登録集計システム１による位置登録集計の動作を示すシーケンス図、図１０は、位置登録集計装置による推計人数算出の動作を示すフローチャートである。
【００３７】
まず、図９を参照して、移動通信端末２から位置登録信号が送信されると（ステップＳ０１）、無線基地局３及び移動体通信網ＮＷを経由して、位置登録信号が位置登録情報に変換されて位置登録蓄積装置１１に送信される（ステップＳ０２）。このステップＳ０１〜Ｓ０２の処理は、移動通信端末２ごとに所定の位置登録周期で繰り返される。これに対して、送信された位置登録情報を基にして位置登録信号数を含む集計データが生成されて、位置登録蓄積装置１１の位置登録情報蓄積部１１２に蓄積される（ステップＳ０３）。
【００３８】
その後、情報表示装置４において移動通信端末２のユーザに関する推計人数に関する表示要求が受け付けられる（ステップＳ０４）。そうすると、情報表示装置４から位置登録処理装置１２に対して推計人数の計算を要求する要求情報が、対象期間情報や対象エリア情報を含んで送信される（ステップＳ０５）。これに応じて、位置登録処理装置１２から位置登録蓄積装置１１に対して集計データの参照要求が送信され（ステップＳ０６）、これによって、位置登録蓄積装置１１から位置登録処理装置１２に集計データが渡される（ステップＳ０７）。次に、位置登録処理装置１２によって、読み出された集計データを対象に対象期間情報の示す期間における対象エリア内の推計人数が算出される（ステップＳ０８）。そして、位置登録処理装置１２から情報表示装置４に推計人数の時間分布データが送信されて（ステップＳ０９）、情報表示装置４においてグラフ形式等の所定の出力形式で表示される（ステップＳ１０）。
【００３９】
次に、図１０に移って、位置登録集計装置による推計人数の算出処理の詳細について説明する。
【００４０】
まず、位置登録処理装置１２は、情報表示装置４から要求情報を受信する（ステップＳ１０１）。それに応じて、位置登録処理装置１２は、要求情報に含まれる対象期間情報及び対象エリア情報の妥当性を判断する（ステップＳ１０２）。判断の結果、要求情報のなかに存在しない“セクタID”等の不当な情報が含まれる場合には（ステップＳ１０２；ＮＯ）、情報表示装置４に対してエラーを送信し（ステップＳ１０３）、推計人数の算出処理を終了する。
【００４１】
これに対して、要求情報に含まれる条件情報が妥当な場合には（ステップＳ１０２；ＹＥＳ）、位置登録処理装置１２は、位置登録蓄積装置１１から集計データを読み込んだ後に、その集計データの中から要求情報に含まれる条件情報に対応するデータを抽出する（ステップＳ１０４）。その後、位置登録処理装置１２は、抽出した集計データに含まれる位置登録信号数に対して、位置登録発生時間帯を基準にした前後の時間における確率分布値を掛け合わせることにより、各位置登録発生時間帯に発生した位置登録に対応する時間軸上の人数分布を推計する（ステップＳ１０５）。
【００４２】
次に、位置登録処理装置１２は、対象期間に含まれる各時間帯において人数分布を集計することにより、各時間帯における移動通信端末２のユーザに関する推計人数を算出する（ステップＳ１０６）。さらに、位置登録処理装置１２は、対象期間に含まれる全ての時間帯に関して推計人数の算出が完了したかを判定する（ステップＳ１０７）。判定の結果、推計人数の算出が完了していない場合には（ステップＳ１０７；ＮＯ）、次の時間帯に関してステップＳ１０６の処理を繰り返す。
【００４３】
一方、推計人数の算出が完了している場合には（ステップＳ１０７；ＹＥＳ）、位置登録処理装置１２は、算出したそれぞれ推計人数に対して所定の変換係数を反映することにより、推計人口の時間分布データを生成する（ステップＳ１０８）。最後に、位置登録処理装置１２は、生成した時間分布データを情報表示装置４に送信する（ステップＳ１０９）。
【００４４】
図１１には、情報表示装置４において表示される推計人数の時間分布の出力結果を示す。同図に示すように、情報表示装置４には、推計人数の時間変化Ｇ１がグラフ形式によって表示される。このようにして位置登録集計装置によって算出される推計人数の時間変化Ｇ１は、該当エリア内での移動通信端末２による位置登録信号数の単純な集計値の時間変化Ｇ０に比較して、現実の移動通信端末２のユーザ分布を反映したものとなっている。
【００４５】
以上説明した位置登録集計装置及び位置登録集計方法によれば、位置登録信号の発生件数が発生時間帯に関連付けて格納され、その発生件数に対して発生時間帯を基準にして前後の時間にわたって分布する確率分布値が掛け合わされることによりユーザ数が推計され、各発生時間帯に対応して推計されたユーザ数が加算されることにより、全体の位置登録に対応する推計人数の時間分布が算出される。これにより、位置登録の周期よりも短い時間でのユーザの移動が発生した場合であっても、その移動傾向を反映したユーザ数の時間変化を得ることができる。例えば、お祭りや花火大会等のイベント時のように短時間の人口移動傾向が高い場合であっても、ユーザ数の時間変化を効果的に予測することができる。さらに、各発生時間帯に対応するユーザ数の時間分布を加算するだけの処理で済むので、処理負荷を低減することができる。
【００４６】
また、各位置登録発生時間帯に発生した位置登録に対応する確率分布は、発生時間帯を中心にして位置登録の周期に対応する幅となるように設定されているので、位置登録周期に対応してユーザ数の時間的な分布を適切に予測することができ、高精度の人口推計を実現することができる。また、この確率分布は、位置登録発生時間帯を中心にして対称な時間分布に設定されているので、位置登録の発生時刻の前後の人口分布を簡易かつ適切に予測することができる。
【００４７】
なお、本発明は、前述した実施形態に限定されるものではない。例えば、本実施形態のような確率分布を位置登録集計データに反映して人数分布を加算するような処理と、確率分布を反映しないで位置登録集計データを加算するような処理とを、適応的に切り替えるように構成されていてもよい。例えば、短時間で人口が集中するようなイベントについて該当イベントの開始日時、終了日時、及び開催エリアを予めイベント情報として登録しておき、要求情報に含まれる対象期間及び対象エリアがイベント情報に一致する場合に、確率分布を反映する処理に切り替える。これにより、演算処理時間の短縮化と推定人数の演算精度の両立を図ることができる。
【００４８】
また、本実施形態では、位置登録の周期が一定であることを想定しているが、位置登録周期が変更された場合に、位置登録集計データに反映する確率分布値の時間分布は、位置登録発生時間帯を基準にした前後の時間における位置登録の周期に対応して変更されるように構成されていてもよい。例えば、位置登録周期が５４分の際に位置登録された位置登録集計データを対象にした場合には、図１２（ａ）に示すような確率分布値データが設定される。これに対して、位置登録周期が１８０分に変更された際に位置登録された位置登録集計データを対象にした場合には、図１２（ｂ）に示すような確率分布値データに変更され、確率分布値データの設定時間幅が長くなるように確率分布値データが設定される。また、計算対象の位置登録集計データの位置登録時間帯の前後で、位置登録周期が５４分から１８０分に変更された場合には、図１２（ｃ）に示すような位置登録時間帯の前後の時間における位置登録周期に対応した確率分布値データに変更される。このときの確率分布値データは、時間軸方向において非対称な分布となる。このような位置登録周期の変化は、イベント開催時や災害発生時に通信規制がかけられた際に発生しうる。
【符号の説明】
【００４９】
１…位置登録集計システム、２…移動通信端末、３…無線基地局、１１…位置登録蓄積装置（位置登録集計装置）、１２…位置登録処理装置（位置登録集計装置）、１１２…位置登録情報蓄積部（位置登録情報格納手段）、１２３…人数分布推計部（人数分布推計手段）、１２５…人数分布加算部（人数分布加算手段）。
【図１】
2012029227.tif 000003
【図２】
2012029227.tif 000004
【図３】
2012029227.tif 000005
【図４】
2012029227.tif 000006
【図５】
2012029227.tif 000007
【図６】
2012029227.tif 000008
【図７】
2012029227.tif 000009
【図８】
2012029227.tif 000010
【図９】
2012029227.tif 000011
【図１０】
2012029227.tif 000012
【図１１】
2012029227.tif 000013
【図１２】
2012029227.tif 000014